(57)【要約】【課題】発信器の取付けを容易にすることができ、しかも、発信器からの制御信号をエアコン室内機の受信部に安定良く確実に受信させることができる、エアコン制御システムにおける発信器構造を提供する。【解決手段】室内の高所のエアコン室内機設置予定部５に設置されるエアコン室内機２の近傍の天井面６に、ＬＥＤ発光による赤外線制御信号を室内機２の受信部に向けて発する発信器３が取り付けられ、かつ、発信器３及び発信器３におけるＬＥＤ発光部がその向きを変更することができるようになされていて、発信器３が、その取付け位置を変更することなく、発信器３及びＬＥＤ発光部の向きを変更することで、室内機２の受信部に制御信号を受信させる調節をすることができるようになされている。【選択図】      図１
2012083002.tif 000002
【特許請求の範囲】
【請求項１】
室内の高所のエアコン室内機設置予定部に設置される又は設置されたエアコン室内機の近傍の天井面又は同近傍の壁面高所に、該エアコンの運転を制御するためのＬＥＤ発光による赤外線制御信号を該エアコン室内機の受信部に向けて発する発信器が取り付けられ、かつ、
該発信器におけるＬＥＤ発光部はその向きを変更することができるようになされていて、該発信器は、その取付け位置を変更することなく、前記ＬＥＤ発光部の向きを変更することで、前記エアコン室内機設置予定部に設置される又は設置されたエアコン室内機の受信部に前記制御信号を受信させる調節をすることができるようになされていることを特徴とする、エアコン制御システムにおける発信器構造。
【請求項２】
室内の高所のエアコン室内機設置予定部に設置される又は設置されたエアコン室内機の近傍の天井面又は同近傍の壁面高所に、該エアコンの運転を制御するためのＬＥＤ発光による赤外線制御信号を該エアコン室内機の受信部に向けて発する発信器が取り付けられ、かつ、
該発信器は、その向きを変更することができるようになされていて、その取付け位置を変更することなく、該向きを変更することで、前記エアコン室内機設置予定部に設置される又は設置されたエアコン室内機の受信部に前記制御信号を受信させる調節をすることができるようになされていることを特徴とする、エアコン制御システムにおける発信器構造。
【請求項３】
室内の高所のエアコン室内機設置予定部に設置される又は設置されたエアコン室内機の近傍の天井面に、該エアコンの運転を制御するためのＬＥＤ発光による赤外線制御信号を該エアコン室内機の受信部に向けて発する発信器が取り付けられ、かつ、
該発信器は、天井面と直交する軸線回りで回転させて向きを変更することができるようになされていると共に、該発信器におけるＬＥＤ発光部は、天井面と平行な軸線回りで回転変位させて向きを変更することができるようになされていて、取付け位置を変更することなく、これら向きのいずれか一方又は両方を変更することにより、前記エアコン室内機設置予定部に設置される又は設置されたエアコン室内機の受信部に前記制御信号を受信させる調節をすることができるようになされていることを特徴とする、エアコン制御システムにおける発信器構造。
【請求項４】
室内の高所のエアコン室内機設置予定部に設置される又は設置されたエアコン室内機の近傍の脇の壁面高所に、該エアコンの運転を制御するためのＬＥＤ発光による赤外線制御信号を該エアコン室内機の受信部に向けて発する発信器が取り付けられ、かつ、
該発信器におけるＬＥＤ発光部は、鉛直軸線回りで回転させて向きを変更することができるようになされていて、該発信器は、その取付け位置と向きを変更することなく、前記ＬＥＤ発光部の向きを変更することで、前記エアコン室内機設置予定部に設置される又は設置されたエアコン室内機の受信部に前記制御信号を受信させる調節をすることができるようになされていることを特徴とする、エアコン制御システムにおける発信器構造。
【発明の詳細な説明】
【技術分野】
【０００１】
本発明は、エアコン制御システムにおける発信器構造に関する。
【背景技術】
【０００２】
リモコン等の発信器を用い、該発信器から発信させたＬＥＤ発光による赤外線制御信号をエアコン室内機の受信部に受信させてエアコンの運転を制御することは、従来より行われており、また、室内の壁面にホルダーを取り付け、該ホルダーに保持させた発信器を操作することでエアコンの運転を制御することも、従来より行われている。
【先行技術文献】
【特許文献】
【０００３】
【特許文献１】特開２００８−３０９３７９号公報
【発明の概要】
【発明が解決しようとする課題】
【０００４】
ところで、エアコン運転制御用の発信器は、エアコン室内機の近傍に取り付けることで、制御信号をエアコン室内機の受信部に確実に受信させることができるが、そうすると、ＬＥＤから発せられる光は指向性が強いことから、エアコン室内機の受信部の位置との関係で、発信器を取り付けることのできる位置が非常に狭い範囲に限られてしまい、そのため、取り付けることさえできない場合も起こりうるという問題がある。
【０００５】
そのため、発信器をエアコン室内機から比較的遠くに離れた、例えば、エアコン室内機と向かい合う向こう側の壁面に取り付けることも考えられるが、そうすると、制御信号がエアコン室内機の受信部に到達するまでに弱められて制御信号の受信が不安定なものになってしまったり、照明や家具等の障害物によって発信器から受信部への信号の到達が妨げられるということが起こりうる。
【０００６】
本発明は、上記のような問題点に鑑み、発信器の取付け位置選択の自由度を高くすることができて取付けを容易にすることができ、しかも、発信器からの制御信号をエアコン室内機の受信部に安定良く確実に受信させることができる、エアコン制御システムにおける発信器構造を提供することを課題とする。
【課題を解決するための手段】
【０００７】
上記の課題は、室内の高所のエアコン室内機設置予定部に設置される又は設置されたエアコン室内機の近傍の天井面又は同近傍の壁面高所に、該エアコンの運転を制御するためのＬＥＤ発光による赤外線制御信号を該エアコン室内機の受信部に向けて発する発信器が取り付けられ、かつ、
該発信器におけるＬＥＤ発光部はその向きを変更することができるようになされていて、該発信器は、その取付け位置を変更することなく、前記ＬＥＤ発光部の向きを変更することで、前記エアコン室内機設置予定部に設置される又は設置されたエアコン室内機の受信部に前記制御信号を受信させる調節をすることができるようになされていることを特徴とする、エアコン制御システムにおける発信器構造によって解決される（第１発明）。
【０００８】
この構造では、室内の高所のエアコン室内機設置予定部に設置される又は設置されたエアコン室内機の近傍の天井面又は同近傍の壁面高所に発信器が取り付けられているので、発信器から発せられる制御信号がエアコン室内機の受信部に到達するまでに弱められて制御信号の受信が不安定なものになってしまったり、照明や家具等の障害物によって発信器から受信部への信号の到達が妨げられるというようなことが起こらず、そのため、発信器からの制御信号をエアコン室内機の受信部に安定良く確実に受信させることができる。
【０００９】
しかも、発信器におけるＬＥＤ発光部がその向きを変更することができるようになされていて、発信器は、その取付け位置を変更することなく、ＬＥＤ発光部の向きを変更することで、エアコン室内機設置予定部に設置される又は設置されたエアコン室内機の受信部に制御信号を受信させる調節をすることができるようになされているので、ＬＥＤ発光部からの光が強い指向性をもっているにもかかわらず、ＬＥＤ発光部の向きが変更可能であることで、発信器の取付け位置選択の自由度を高くすることができて、取付けを容易にすることができる。
【００１０】
また、このように、近傍であることと向き変更可能であることとから、それらを利用して、例えば、１室に２台のエアコンと発信器を設置した場合の相互干渉を防ぐために他方への信号の到達を避けるようにするのに有効的に用いることも可能である。
【００１１】
加えて、エアコン室内機の近傍の天井面又は同近傍の壁面高所を発信器の取付け位置としているので、他との取り合い関係で取り付けることができないというような事態の発生もなくすことができる。
【００１２】
また、上記の課題は、室内の高所のエアコン室内機設置予定部に設置される又は設置されたエアコン室内機の近傍の天井面又は同近傍の壁面高所に、該エアコンの運転を制御するためのＬＥＤ発光による赤外線制御信号を該エアコン室内機の受信部に向けて発する発信器が取り付けられ、かつ、
該発信器は、その向きを変更することができるようになされていて、その取付け位置を変更することなく、該向きを変更することで、前記エアコン室内機設置予定部に設置される又は設置されたエアコン室内機の受信部に前記制御信号を受信させる調節をすることができるようになされていることを特徴とする、エアコン制御システムにおける発信器構造によって解決される（第２発明）。
【００１３】
この構造では、向きを変更できるのが、発信器そのものである場合のもので、第１発明と同様の理由により、発信器からの制御信号をエアコン室内機の受信部に安定良く確実に受信させることができ、しかも、発信器の取付け位置選択の自由度を高くすることができて取付けを容易にすることができ、加えて、他との取り合い関係で取り付けることができないというような事態の発生もなくすことができる。
【００１４】
また、上記の課題は、室内の高所のエアコン室内機設置予定部に設置される又は設置されたエアコン室内機の近傍の天井面に、該エアコンの運転を制御するためのＬＥＤ発光による赤外線制御信号を該エアコン室内機の受信部に向けて発する発信器が取り付けられ、かつ、
該発信器は、天井面と直交する軸線回りで回転させて向きを変更することができるようになされていると共に、該発信器におけるＬＥＤ発光部は、天井面と平行な軸線回りで回転変位させて向きを変更することができるようになされていて、取付け位置を変更することなく、これら向きのいずれか一方又は両方を変更することにより、前記エアコン室内機設置予定部に設置される又は設置されたエアコン室内機の受信部に前記制御信号を受信させる調節をすることができるようになされていることを特徴とする、エアコン制御システムにおける発信器構造によって解決される（第３発明）。
【００１５】
この構造においても、第１，第２の発明と同様の理由により、発信器からの制御信号をエアコン室内機の受信部に安定良く確実に受信させることができ、しかも、発信器の取付け位置選択の自由度を高くすることができて取付けを容易にすることができ、加えて、他との取り合い関係で取り付けることができないというような事態の発生もなくすことができる。
【００１６】
そして、特にこの構造では、発信器それ自身の向き変更を一軸回りの回転による簡素な機構で実現することができると共に、発信器におけるＬＥＤ発光部の向き変更も一軸回りの回転による簡素な機構で実現することができて、これらによる多次元的な向き変更を、コスト的に有利に実現することができる。
【００１７】
とりわけ、発信器は、天井面と直交する軸線回りで回転させて向きを変更することができるようになされているので、天井面に対する発信器の取付けと、そのような向き変更とをコンパクトな構造で実現することができる。
【００１８】
また、上記の課題は、室内の高所のエアコン室内機設置予定部に設置される又は設置されたエアコン室内機の近傍の脇の壁面高所に、該エアコンの運転を制御するためのＬＥＤ発光による赤外線制御信号を該エアコン室内機の受信部に向けて発する発信器が取り付けられ、かつ、
該発信器におけるＬＥＤ発光部は、鉛直軸線回りで回転させて向きを変更することができるようになされていて、該発信器は、その取付け位置と向きを変更することなく、前記ＬＥＤ発光部の向きを変更することで、前記エアコン室内機設置予定部に設置される又は設置されたエアコン室内機の受信部に前記制御信号を受信させる調節をすることができるようになされていることを特徴とする、エアコン制御システムにおける発信器構造によって解決される（第４発明）。
【００１９】
この構造においても、第１〜第３の発明と同様の理由により、発信器からの制御信号をエアコン室内機の受信部に安定良く確実に受信させることができ、しかも、発信器の取付け位置選択の自由度を高くすることができて取付けを容易にすることができ、加えて、他との取り合い関係で取り付けることができないというような事態の発生もなくすことができる。
【００２０】
特にこの構造では、ＬＥＤ発光部の向きを一軸回りで変更できるようにしているだけであり、向き変更を簡素な構造により実現することができる。
【発明の効果】
【００２１】
本発明は、以上のとおりのものであるから、発信器からの制御信号をエアコン室内機の受信部に安定良く確実に受信させることができ、しかも、発信器の取付け位置選択の自由度を高くすることができて発信器の取付けを容易にすることができ、加えて、他との取り合い関係で取り付けることができないというような事態の発生もなくすことができる。
【図面の簡単な説明】
【００２２】
【図１】第１実施形態の構造を示すもので、図（イ）は室内の立面図、図（ロ）〜図（ニ）はそれぞれ同平面図である。
【図２】第２実施形態の構造を示すもので、図（イ）は室内の立面図、図（ロ）は同平面図である。
【図３】システムの全体構成を示す建物内部立面図である。
【発明を実施するための形態】
【００２３】
次に、本発明の実施形態を図面に基づいて説明する。本実施形態の発信器構造は、図３に示すような冷房用あるいは暖房用あるいは冷暖房用のエアコン制御システムに適用した場合のものであり、該システムは、複数の居室１…のそれぞれにエアコン室内機２が設置されると共に、それぞれの室１に、その室１のエアコン室内機２の図示しない受信部に向けて、エアコンの運転を制御する制御信号を発する発信器３が設置され、かつ、各発信器３…からの制御信号の発信制御を、メインコントローラー４によって集中して行うようになされたものである。
【００２４】
そして、このシステムでは、各室１に設置するエアコン室内機２が具体的に特定され、該エアコン室内機２の設置と、各室１への発信器３の設置とを併せて行うこともできるし、各室１への発信器３の設置と、各室１へのエアコン室内機２の設置とを切り離し、各室１に設置するエアコン室内機２を具体的に特定せずに、各室１への発信器３の設置とメインコントローラー４の設置とを、エアコン室内機の設置に先行させて、予め行っておくということもできるようになされている。
【００２５】
各発信器３は、エアコンの運転を制御するためのＬＥＤ発光による赤外線制御信号を発するもので、図１に示す第１実施形態の構造を採用する室１では、室内の高所のエアコン室内機設置予定部５に設置される又は設置された壁掛け式のエアコン室内機２の近傍の正面側前方における天井面６に取り付けられている。発信器３の取付け位置は、図１（ロ）に示すように、エアコン室内機２の正面側前方の、左右方向における中央であってもよいし、他との取り合い等の関係でそれができないような場合には、図１（ハ）（ニ）に示すように、左右いずれかに偏らされていてもよい。
【００２６】
そして、該発信器３は、取付け位置において、図１（ロ）〜（ニ）に示すように、天井面６と直交する軸線回りで回転させて向きを変更することができるようになされていると共に、図１（イ）に示すように、該発信器３における図示しないＬＥＤ発光部は、天井面６と平行な軸線回りで回転変位させて向きを変更することができるようになされていて、取付け位置を変更することなく、これら向きのいずれか一方又は両方を変更することにより、エアコン室内機設置予定部５に設置される又は設置されたエアコン室内機２の受信部に制御信号を受信させる調節をすることができるようになされている。
【００２７】
具体的には、発信器３の取付けは、天井板の下面側に配置された発信器と、天井板の上面側、即ち裏面側に配置された取付け金物とを、天井板にあけられた孔を通じてねじで連結し、該ねじを締め込んで発信器３と取付け金物とで天井板を上下方向から挟み込むというようにして行われている。そして、発信器３は、該ねじを緩めた状態にすることによって、天井面６と直交する軸線回りに回転させて向きを変更することができるようになされていており、向き変更後、ねじを締め直すことによって取付け状態に戻すことができるようになされている。
【００２８】
上記の構造では、室内の高所のエアコン室内機設置予定部５に設置される又は設置されたエアコン室内機２の近傍の正面側前方の天井面に発信器３が取り付けられているので、発信器３から発せられる制御信号がエアコン室内機２の受信部に到達するまでに弱められて制御信号の受信が不安定なものになってしまったり、照明や家具等の障害物によって発信器３からエアコン室内機２の受信部への信号の到達が妨げられるというようなことが起こらず、そのため、発信器３からの制御信号をエアコン室内機２の受信部に安定良く確実に受信させることができる。
【００２９】
しかも、発信器３は、天井面６と直交する軸線回りで回転させて向きを変更することができるようになされていると共に、該発信器３におけるＬＥＤ発光部は、天井面６と平行な軸線回りで回転変位させて向きを変更することができるようになされていて、取付け位置を変更することなく、これら向きのいずれか一方又は両方を変更することにより、エアコン室内機設置予定部５に設置される又は設置されたエアコン室内機２の受信部に制御信号を受信させる調節をすることができるようになされているので、ＬＥＤ発光部からの光が強い指向性をもっているにもかかわらず、発信器３の取付け位置選択の自由度を高くすることができ、取付けを容易にすることができる。
【００３０】
図１（イ）には、受信部がエアコン室内機２の正面寄りに位置して備えられている場合には、発信器３からの信号が直接、エアコン室内機２の受信部に受信され、また、受信部がエアコン室内機２の下面寄りに位置して備えられている場合には、発信器３からの信号が床面に反射してエアコン室内機２の受信部に受信されることがあるという一例を示しており、その例からも明らかなように、受信部の位置が特定の位置に定められていない、機種やメーカー等の異なる市販の種々のエアコン室内機に対して、発信器３からの信号を受信できるよう調節することができる。
【００３１】
加えて、エアコン室内機２の近傍の天井面を発信器３の取付け位置としているので、エアコン室内機２の下方の壁面などのように他との取り合い関係で取り付けることができない場合を生じるというような事態の発生もなくすことができる。
【００３２】
そして、特に本実施形態の構造では、発信器３それ自身の向き変更を一軸回りの回転による簡素な機構で実現することができると共に、発信器３におけるＬＥＤ発光部の向き変更も一軸回りの回転による簡素な機構で実現することができて、これらによる多次元的な向き変更を、コスト的に有利に実現することができる。とりわけ、発信器３は、天井面６と直交する軸線回りで回転させて向きを変更することができるようになされているので、天井面に対する発信器の取付けと、そのような向き変更とをコンパクトな構造で実現することができる。
【００３３】
特に、本実施形態では、発信器と取付け金物とで天井板を挟み込んで取り付ける構造とし、挟み込むねじを緩めることで、天井面６と直交する軸線回りでの発信器の向きを変更することができる構造としているので、取付けとそのような向きの変更を簡素な構造によって実現することができる。
【００３４】
なお、発信器３の取付け位置は、エアコン室内機設置予定部５から該予定部５と直交する水平方向における離間距離ａが２．０ｍを上回ってしまうことのないような近傍位置に設定されるのが好ましい。
【００３５】
図２（イ）（ロ）に示す第２実施形態は、例えば、室１が天井面の存在しない吹き抜けとなっている場合などにおいて用いられるもので、室内の高所のエアコン室内機設置予定部５に設置される又は設置されたエアコン室内機２の近傍の脇の壁面７の高所に、発信器３が取り付けられている。Ｔは天井ラインである。
【００３６】
そして、該発信器３におけるＬＥＤ発光部は、図２（ロ）に示すように、鉛直軸線回りで回転させて向きを変更することができるようになされていて、該発信器３は、その取付け位置と向きを変更することなく、ＬＥＤ発光部の向きを変更することで、エアコン室内機設置予定部５に設置される又は設置されたエアコン室内機２の受信部に制御信号を受信させる調節をすることができるようになされている。
【００３７】
この構造においても、発信器３からの制御信号をエアコン室内機２の受信部に安定良く確実に受信させることができ、しかも、発信器３の取付け位置選択の自由度を高くすることができて取付けを容易にすることができ、加えて、他との取り合い関係で取り付けることができないというような事態の発生もなくすことができる。特にこの構造では、ＬＥＤ発光部の向きを一軸回りで変更できるようにしているだけであり、向き変更を簡素な構造により実現することができる。
【００３８】
なお、発信器３の取付け位置は、エアコン室内機設置予定部５から該予定部５と直交する水平方向における離間距離ｂが２．０ｍを上回ってしまうことのないような近傍位置に設定されるのが好ましい。なお、第２実施形態のような構造を吹抜けでない天井面のある室に適用して脇の壁面に発信器を取り付ける構成とするようにしてもよい。
【００３９】
以上に、本発明の実施形態を示したが、本発明はこれに限られるものではなく、発明思想を逸脱しない範囲で各種の変更が可能である。例えば、第１発明や第２発明では、ＬＥＤ発光部や発信器の向き変更のための機構として、一軸回りでの回転する機構のほか、ボールジョイント機構やユニバーサルジョイント機構等のより自由度の高い向き変更機構が採用されてもよい。
【００４０】
また、第１発明では、ＬＥＤ発光部のほか、発信器そのものも向きを変更できるようになっていてよいし、第２発明では、発信器そのもののほか、ＬＥＤ発光部も向きを変更できるようになっていてよい。
【００４１】
更に、上記の第２実施形態では、発信器３においてそのＬＥＤ発光部の向きを変更できるように構成されている場合を示したが、発信器３がその向きを変更できるように壁面７に取り付けられていてもよいし、発信器３とＬＥＤ発光部とが個別に向きを変更できるように壁面７に取り付けられていてもよい。
【００４２】
また、上記の実施形態では、エアコン室内機が壁掛け式のものからなっている場合を示したが、エアコン室内機は天井埋込み式であってよいし、壁埋込み式であってよく、それらの埋込み式の場合の設置予定部は、天井面位置、壁面位置と考えてよい。また、上記の実施形態では、本発明を特定のエアコン制御システムに適用した場合を示したが、種々のエアコンシステムに適用することができるものであることはいうまでもいない。
【符号の説明】
【００４３】
１…室
２…エアコン室内機
３…発信器
５…エアコン室内機設置予定部
６…天井面
７…壁面
【図１】
2012083002.tif 000003
【図２】
2012083002.tif 000004
【図３】
2012083002.tif 000005